(57)【要約】【課題】椅子に座った状態と椅子から立った状態の両方でユーザーに向けてスピーカから放音する。【解決手段】椅子２に着席して電子楽器を演奏する場合には、スピーカ１００Ａ、１００Ｂを下方に下げ、着席したユーザーの左右の耳の近傍にスピーカ１００Ａ及びスピーカ１００Ｂを位置させる。ユーザーが椅子２の背後に立って電子楽器を演奏する場合には、スピーカ１００Ａ、１００Ｂを上方に上げ、立ち上がったユーザーの左右の耳の近傍にスピーカ１００Ａ及びスピーカ１００Ｂが位置するように、横軸回転部２２Ａ、２２Ｂを回転させる。【選択図】図３
2016134794.tif 000002
【特許請求の範囲】
【請求項１】
スピーカを支持するスピーカスタンドであって、
椅子の一部に固定される固定部と、
中心軸の方向が前記スピーカの放音方向及び前記椅子の左右方向となる横軸部と、
前記スピーカを外部からの力により前記横軸部を中心にして回転移動させる回転部と
を有するスピーカスタンド。
【請求項２】
前記回転部を上下方向へ移動させる移動部を有する請求項１に記載のスピーカスタンド。
【請求項３】
前記横軸部の位置は、前記スピーカの側方において前記スピーカの上下方向の中央から偏った位置である
請求項１又は請求項２に記載のスピーカスタンド。
【請求項４】
スピーカを支持するスピーカスタンドであって、
椅子の一部に固定される固定部と、
中心軸の方向が前記スピーカの放音方向と交差する方向及び前記椅子の前後方向となる横軸部と、
前記スピーカを外部からの力により当該横軸部を中心にして回転移動させると共に、中心軸の方向が上下方向である縦軸部を中心に前記スピーカを回転移動させる回転部と
を有する
スピーカスタンド。
【発明の詳細な説明】
【技術分野】
【０００１】
本発明は、スピーカスタンドに関する。
【背景技術】
【０００２】
特許文献１には、椅子に座っている者に音を放音する座椅子用アタッチメントスピーカセットが開示されている。この座椅子用アタッチメントスピーカセットは、座椅子の背もたれに取り付けられ、椅子に座ったユーザーの左右の耳の近傍にスピーカを配置する。
また、特許文献２には、ブラケットで椅子の背もたれに取り付けられ、椅子に座ったユーザーの左右の耳の近傍にスピーカを配置するシステムが開示されている。特許文献１の考案や、特許文献２の発明によれば、椅子に座っているユーザーに対してスピーカを向けるため、ユーザーに対してはスピーカからの音を聞かせることができ、他の者にはスピーカからの音を聞こえにくくすることができる。
【先行技術文献】
【特許文献】
【０００３】
【特許文献１】実用新案登録第３１７７３８０号公報
【特許文献２】特開平８−４７０８０号公報
【発明の概要】
【発明が解決しようとする課題】
【０００４】
電子バイオリンや電子ギターにおいては、演奏音をラインアウト端子から出力し、スピーカから演奏音を放音することができるが、これらの電子楽器からの出力を、特許文献１、２の構成で出力すれば、演奏の音を聞きながら、椅子に座った状態で演奏の練習をすることができる。しかしながら、演奏時の姿勢は、座った状態だけでなく、例えば立った状態で演奏を行うこともある。特許文献１、２の椅子から立ち上がって演奏を行うと、スピーカがユーザーの左右の耳の近傍には位置しないため、演奏音を聞きながら練習を行うことが困難となる。
【０００５】
本発明は、上述した背景の下になされたものであり、椅子に座った状態と椅子から立った状態の両方でユーザーに向けてスピーカから放音することを目的とする。
【課題を解決するための手段】
【０００６】
本発明は、スピーカを支持するスピーカスタンドであって、椅子の一部に固定される固定部と、中心軸の方向が前記スピーカの放音方向及び前記椅子の左右方向となる横軸部と、前記スピーカを外部からの力により前記横軸部を中心にして回転移動させる回転部とを有するスピーカスタンドを提供する。
【０００７】
本発明においては、前記回転部を上下方向へ移動させる移動部を有する構成としてもよい。
【０００８】
また、本発明においては、前記横軸部の位置は、前記スピーカの側方において前記スピーカの上下方向の中央から偏った位置である構成としてもよい。
【０００９】
また、本発明は、スピーカを支持するスピーカスタンドであって、椅子の一部に固定される固定部と、中心軸の方向が前記スピーカの放音方向と交差する方向及び前記椅子の前後方向となる横軸部と、前記スピーカを外部からの力により当該横軸部を中心にして回転移動させると共に、中心軸の方向が上下方向である縦軸部を中心に前記スピーカを回転移動させる回転部とを有するスピーカスタンドを提供する。
【発明の効果】
【００１０】
本発明によれば、椅子に座った状態と椅子から立った状態の両方でユーザーに向けてスピーカから放音することができる。
【図面の簡単な説明】
【００１１】
【図１】本発明の第１実施形態に係るスピーカスタンド１Ａの斜視図。
【図２】回転部２０Ａ、２０Ｂの外形図。
【図３】スピーカスタンド１Ａを椅子２に取り付けた状態を示した図。
【図４】スピーカスタンド１Ａを椅子２に取り付けた状態を示した図。
【図５】本発明の第２実施形態に係るスピーカスタンド１Ｂの斜視図。
【図６】回転部２０Ｃ、２０Ｄの外形図。
【図７】スピーカスタンド１Ｂを椅子２に取り付けた状態を示した図。
【図８】スピーカスタンド１Ｂを椅子２に取り付けた状態を示した図。
【図９】本発明の第３実施形態に係るスピーカスタンド１Ｃの斜視図。
【図１０】回転部２０Ｅ、２０Ｆの外形図。
【図１１】変形例に係る回転部２１Ｇ、２１Ｈの外形図。
【発明を実施するための形態】
【００１２】
［第１実施形態］
以下、図面を参照して本発明の実施形態について説明する。なお、図面において示した各部材の寸法は、各部材の形状や位置関係を容易に理解できるように実際の寸法とは異ならせてある。
【００１３】
図１は、本発明の第１実施形態に係るスピーカスタンド１Ａを示した図である。スピーカスタンド１Ａは、椅子の背もたれに固定されるスタンドであり、スピーカの音が椅子に座っている者又は椅子の背後に立っている者に向かって、水平方向に放音されるように、スピーカを支持する。なお、図１は、椅子に座っている者に対して音を放音するときの状態を示している。本実施形態においては、スピーカスタンド１Ａは、水平方向に放音されるようにスピーカを支持するが、水平方向から任意の角度で垂直方向へ傾けた方向へスピーカの音が放音されるようにスピーカを支持するようにしてもよい。
【００１４】
スピーカスタンド１Ａは、支持柱１０Ａ、１０Ｂ、回転部２０Ａ、２０Ｂ、把持部３０Ａ、３０Ｂを有する。
支持柱１０Ａは、回転部２０Ａを支える部材であり、支持柱１０Ｂは、回転部２０Ｂを支える部材である。支持柱１０Ａ、１０Ｂ（縦軸部）は、断面が円形な管状の部材である。
【００１５】
回転部２０Ａは、縦軸回転部２１Ａ（第１回転部）、横軸回転部２２Ａ（第２回転部）及び軸２３Ａ（横軸部）を有し、回転部２０Ｂは、縦軸回転部２１Ｂ（第１回転部）、横軸回転部２２Ｂ（第２回転部）及び軸２３Ｂ（横軸部）を有する。
図２の（ａ）は、図１の状態のスピーカスタンド１Ａにおいて、回転部２０Ａを、回転部２０Ｂ側から回転部２０Ａ側に向かって見た図であり、図２の（ｂ）は、回転部２０Ｂを、回転部２０Ａ側から回転部２０Ｂ側に向かって見た図である。また、図２の（ｃ）は、図１の状態のスピーカスタンド１Ａにおいて、回転部２０Ａを、回転部２０Ｂとは反対側から回転部２０Ｂ側に向かって見た図であり、図２の（ｄ）は、図１の状態のスピーカスタンド１Ａにおいて、回転部２０Ｂを、回転部２０Ａとは反対側から回転部２０Ａ側に向かって見た図である。
【００１６】
縦軸回転部２１Ａは、垂直方向に貫通し、支持柱１０Ａが挿入される孔と、ボルト２４が挿入されるねじ孔であって、水平方向に沿って設けられ、支持柱１０Ａが挿入される孔に通じるねじ孔を有している。また、縦軸回転部２１Ｂは、垂直方向に貫通し、支持柱１０Ｂが挿入される孔と、ボルト２４が挿入されるねじ孔であって、水平方向に沿って設けられ、支持柱１０Ｂが挿入される孔に通じるねじ孔を有している。
当該ねじ孔に挿入されたボルト２４が締められていない状態においては、回転部２０Ａは、支持柱１０Ａに沿った上下方向（図１の矢印Ｄ方向及び矢印Ｅ方向）への移動と、支持柱１０Ａを中心にした縦軸周りの回転（矢印Ｂ方向及び矢印Ｃ方向の回転）が可能となり、回転部２０Ｂは、支持柱１０Ｂに沿った上下方向への移動と、支持柱１０Ｂを中心とした縦軸周りの回転が可能となる。換言すると、支持柱１０Ａ、１０Ｂ及び縦軸回転部２１Ａ、２１Ｂは、スピーカ１００Ａ、１００Ｂを上下方向へ移動させる移動部として機能している。当該ねじ孔に挿入されたボルト２４を締めると、ボルト２４が止めねじとして機能し、支持柱１０Ａに縦軸回転部２１Ａが固定され、支持柱１０Ｂに縦軸回転部２１Ｂが固定される。
【００１７】
軸２３Ａは、縦軸回転部２１Ａに固着されており、縦軸回転部２１Ａからスピーカ１００Ａの放音方向に沿って水平方向に伸びている。つまり、軸２３Ａは、中心軸の方向がスピーカ１００Ａの放音方向に沿った方向となっている。軸２３Ａは、横軸回転部２２Ａを支持する。また、軸２３Ｂは、縦軸回転部２１Ｂに固着されており、縦軸回転部２１Ｂからスピーカ１００Ｂの放音方向に沿って水平方向に伸びている。つまり、軸２３Ｂは、中心軸の方向がスピーカ１００Ｂの放音方向に沿った方向となっている。軸２３Ｂは、横軸回転部２２Ｂを支持する。
【００１８】
横軸回転部２２Ａ、２２Ｂは、スピーカ１００Ａ、１００Ｂを図１の矢印Ａ方向へ回転移動させるための部材である。スピーカ１００Ａは、横軸回転部２２Ａに固定され、スピーカ１００Ｂは、横軸回転部２２Ｂに固定される。横軸回転部２２Ａは、水平方向に貫通し、軸２３Ａが挿入される孔を有している。当該孔に設けられた爪（図示略）及び軸２３Ａに設けられた歯（図示略）によりラチェット機構が形成されており、横軸回転部２２Ａは、軸２３Ａを中心にして図１に示した矢印Ａ方向へ横軸周りの回転をする。また、横軸回転部２２Ｂは、水平方向に貫通し、軸２３Ｂが挿入される孔を有している。当該孔に設けられた爪（図示略）及び軸２３Ｂに設けられた歯（図示略）によりラチェット機構が形成されており、横軸回転部２２Ｂは、軸２３Ｂを中心にして図１に示した矢印Ａ方向に横軸周りの回転をする。
図１に示した状態から横軸回転部２２Ａを矢印Ａ方向へ回転させることにより、スピーカ１００Ａを椅子２の背もたれより後ろ側へ回転移動させることができる。更に、スピーカ１００Ａが椅子２の背もたれより後ろ側にある状態から横軸回転部２２Ａを矢印Ａ方向へ回転させることにより、スピーカ１００Ａを椅子２の背もたれより前側へ回転移動させることができる。
【００１９】
把持部３０Ａ、３０Ｂ（把持手段）は、スピーカスタンド１Ａを背もたれに固定し、支持柱１０Ａ、１０Ｂを支持する部材である。把持部３０Ａ、３０Ｂは、基部３１と、基部３１の一端側から下方に伸びた板状部３２Ａと、基部３１の他端側から下方に伸びた板状部３２Ｂを有し、矩形の枠の一辺を取り除いた形状となっている。把持部３０Ａの板状部３２Ａには、支持柱１０Ａが固定され、把持部３０Ｂの板状部３２Ａには、支持柱１０Ｂが固定されている。把持部３０Ａ、３０Ｂは、合成樹脂で形成されており、弾性変形して椅子２の一部を挟んで把持する。なお、把持部３０Ａ、３０Ｂは、合成樹脂ではなく金属であってもよい。
【００２０】
図３と図４は、スピーカスタンド１Ａを椅子２の背もたれに取り付けた状態を示した図である。スピーカスタンド１Ａのユーザーが、板状部３２Ａと板状部３２Ｂとの間に椅子２の背もたれを押し込むと、弾性変形した板状部３２Ａと板状部３２Ｂが背もたれを挟み、スピーカスタンド１Ａが椅子２の背もたれに固定される。
【００２１】
ユーザーは、椅子２に着席して電子楽器を演奏する場合には、図３に示したように、回転部２０Ａ、２０Ｂの高さが、着席しているユーザーの耳の高さと同じ高さとなるように、回転部２０Ａ、２０Ｂを上下方向（図１で示した矢印Ｄ方向又は矢印Ｅ方向）に移動させる。また、縦軸回転部２１Ａにおいてボルト２４が挿入されている側と、縦軸回転部２１Ｂにおいてボルト２４が挿入されている側とが互いに向かい合うように、縦軸回転部２１Ａ及び縦軸回転部２１Ｂを図１で示した矢印Ｂ方向又は矢印Ｃ方向に回転させる。また、スピーカ１００Ａとスピーカ１００Ｂとがユーザーの頭部を挟んで互いに向かい合うように、横軸回転部２２Ａ及び横軸回転部２２Ｂを図１で示した矢印Ａ方向へ回転させる。図３に示した状態では、軸２３Ａ及び軸２３Ｂの中心軸の方向が椅子２の左右方向に沿った方向となり、着席したユーザーの左右の耳の近傍にスピーカ１００Ａ及びスピーカ１００Ｂが位置する。そして、電子楽器から出力されて外部装置で増幅された信号がスピーカ１００Ａ、１００Ｂへ供給されると、電子楽器の音が椅子２に着席しているユーザーの頭部（耳）へ向けて放音される。
【００２２】
次に、ユーザーが椅子２の背後に立って電子楽器を演奏する場合には、図４に示したように、回転部２０Ａ、２０Ｂを図３に示した位置から上方（図１に示した矢印Ｄ方向）に上げ、回転部２０Ａ、２０Ｂの高さが、立っているユーザーの耳の高さと同じ高さとなるようにする。また、背もたれの後側においてスピーカ１００Ａとスピーカ１００Ｂとが、立っているユーザーの頭部を挟んで互いに向かい合うように、横軸回転部２２Ａ及び横軸回転部２２Ｂを矢印Ａ方向へ１８０度の角度で回転させる。図４に示した状態では、軸２３Ａ及び軸２３Ｂの中心軸の方向が椅子２の左右方向に沿った方向となり、椅子２の背後に立ったユーザーの左右の耳の近傍にスピーカ１００Ａ及びスピーカ１００Ｂが位置する。そして、電子楽器から出力されて外部装置で増幅された信号がスピーカ１００Ａ、１００Ｂへ供給されると、電子楽器の音が椅子２の背後に立っているユーザーの頭部（耳）へ向けて水平方向に放音される。
このように、本実施形態によれば、椅子２に座った状態と椅子２から立った状態の両方でユーザーに向けて電子楽器の音を放音することができる。
【００２３】
なお、回転部２０Ａ及び回転部２０Ｂが矢印Ｂ方向及び矢印Ｃ方向へ回転する構成を備える場合、スピーカ１００Ａ、１００Ｂが椅子２に着席するユーザーの頭部を挟まず、ユーザーの邪魔にならないようにスピーカ１００Ａ、１００Ｂを配置することができる。
具体的には、スピーカ１００Ａ、１００Ｂを放音方向から見たときのスピーカ１００Ａ、１００Ｂの左右方向の幅が広い場合、スピーカ１００Ａ、１００Ｂを使用しないときには、回転部２０Ａ及び回転部２０Ｂを矢印Ｂ方向又は矢印Ｃ方向に回転させて、椅子２の前後方向でスピーカ１００Ａ、１００Ｂが重なるように配置する。
また、スピーカ１００Ａ、１００Ｂを放音方向から見たときのスピーカ１００Ａ、１００Ｂの左右方向の幅が狭い場合、スピーカ１００Ａ、１００Ｂを使用しないときには、回転部２０Ａ及び回転部２０Ｂを矢印Ｂ方向又は矢印Ｃ方向に回転させ、スピーカ１００Ａ、１００Ｂの前面が椅子２の背もたれの面に沿い、スピーカ１００Ａ、１００Ｂの前面が揃うように、スピーカ１００Ａ、１００Ｂを配置する。
このようにすると、スピーカ１００Ａ、１００Ｂを使用しないときには、ユーザーの邪魔にならないようにスピーカ１００Ａ、１００Ｂを配置することができる。
第１実施形態においては、回転部２０Ａ及び回転部２０Ｂは、矢印Ｂ方向及び矢印Ｃ方向に回転する構成となっているが、矢印Ｂ方向及び矢印Ｃに回転しない構成としてもよい。また、スピーカ１００Ａ及びスピーカ１００Ｂの指向角度が広い場合、又はスピーカ１００Ａ及びスピーカ１００Ｂの上下方向の寸法が大きい場合には、回転部２０Ａ、２０Ｂは、上下方向に移動しない構成としてもよい。
【００２４】
［第２実施形態］
次に、本発明の第２実施形態について説明する。図５は、本発明の第２実施形態に係るスピーカスタンド１Ｂを示した図であり、椅子２に座っている者に対して、水平方向に音を放音するときの状態を示している。なお、第２実施形態に係る図において示した各部材の寸法も、各部材の形状や位置関係を容易に理解できるように実際の寸法とは異ならせてある。本実施形態においては、スピーカスタンド１Ｂは、水平方向に放音されるようにスピーカを支持するが、水平方向から任意の角度で垂直方向へ傾けた方向へスピーカの音が放音されるようにスピーカを支持するようにしてもよい。
スピーカスタンド１Ｂは、第１実施形態のスピーカスタンド１Ａと比較すると、スピーカ１００Ａ、１００Ｂが図１の矢印Ａ方向へ回転移動しない点、回転部２０Ａ、２０Ｂに替えて回転部２０Ｃ、２０Ｄを有する点、スピーカ１００Ａを矢印Ｆ方向へ回転させられる点及びスピーカ１００Ａを矢印Ｇ方向へ回転させられる点が異なる。以下、第１実施形態と構成が同じものについては同じ符号を付してその説明を省略し、第１実施形態との相違点について説明する。
【００２５】
回転部２０Ｃは、縦軸回転部２１Ａ、横軸回転部２２Ｃ、軸２３Ｃ（横軸部）を有し、回転部２０Ｄは、縦軸回転部２１Ｂ、横軸回転部２２Ｄ、軸２３Ｄ（横軸部）を有する。
図６の（ａ）は、図５の状態のスピーカスタンド１Ｂにおいて、回転部２０Ｃを、回転部２０Ｄ側から回転部２０Ｃ側に向かって見た図であり、図６の（ｂ）は、回転部２０Ｄを、回転部２０Ｃ側から回転部２０Ｄ側に向かって見た図である。また、図６の（ｃ）は、図５の状態のスピーカスタンド１Ｂにおいて、回転部２０Ｃを、回転部２０Ｄとは反対側から回転部２０Ｄ側に向かって見た図であり、図６の（ｄ）は、図５の状態のスピーカスタンド１Ｂにおいて、回転部２０Ｄを、回転部２０Ｃとは反対側から回転部２０Ｃ側に向かって見た図である。
【００２６】
横軸回転部２２Ｃ、２２Ｄは、スピーカ１００Ａ、１００Ｂを支持して回転させる部材である。横軸回転部２２Ｃは、水平方向に沿った孔であって軸２３Ｃが挿入される孔（図示略）を有している。軸２３Ｃは、スピーカ１００Ａを支持する軸であり、図６の（ｃ）に示したように、横軸回転部２２Ｃに設けられた孔と、スピーカ１００Ａに設けられた孔に挿入され、スピーカ１００Ａに固定される。軸２３Ｃは、横軸回転部２２Ｃからスピーカ１００Ａの放音方向と交差する横方向に伸びている。つまり、軸２３Ｃは、中心軸の方向がスピーカ１００Ａの放音方向と交差した横方向となっている。横軸回転部２２Ｃの孔に設けられた爪（図示略）及び軸２３Ｃに設けられた歯（図示略）によりラチェット機構が形成されており、スピーカ１００Ａは、軸２３Ｃを中心にして図５に示した矢印Ｆ方向に横軸周りの回転をする。
【００２７】
また、横軸回転部２２Ｄは、水平方向に沿った孔であって軸２３Ｄが挿入される孔（図示略）を有している。軸２３Ｄは、スピーカ１００Ｂを支持する軸であり、図６の（ｄ）に示したように、横軸回転部２２Ｄに設けられた孔と、スピーカ１００Ｂに設けられた孔に挿入され、スピーカ１００Ｂに固定される。軸２３Ｄは、横軸回転部２２Ｄからスピーカ１００Ｂの放音方向と交差する横方向に伸びている。つまり、軸２３Ｄは、中心軸の方向がスピーカ１００Ｂの放音方向と交差した横方向となっている。横軸回転部２２Ｄの孔に設けられた爪（図示略）及び軸２３Ｄに設けられた歯（図示略）によりラチェット機構が形成されており、スピーカ１００Ｂは、軸２３Ｄを中心にして図５に示した矢印Ｇ方向に横軸周りの回転をする。
【００２８】
図５に示した状態から軸２３Ｃを中心にしてスピーカ１００Ａを矢印Ｆ方向へ回転移動させることにより、スピーカ１００Ａの上下の位置を変更し、また、軸２３Ｄを中心にしてスピーカ１００Ｂを矢印Ｇ方向へ回転移動させることにより、スピーカ１００Ｂの上下の位置を変更することができる。
【００２９】
図７と図８は、スピーカスタンド１Ｂを椅子２の背もたれに取り付けた状態を示した図である。ユーザーは、椅子２に着席して電子楽器を演奏する場合には、図７に示したように、回転部２０Ｃ、２０Ｄの高さが、着席しているユーザーの耳の高さと同じ高さとなるように、回転部２０Ｃ、２０Ｄを上下方向（図５で示した矢印Ｄ方向又は矢印Ｅ方向）に移動させる。また、縦軸回転部２１Ａにおいてボルト２４が挿入されている側と、縦軸回転部２１Ｂにおいてボルト２４が挿入されている側とが互いに向かい合うように、縦軸回転部２１Ａ及び縦軸回転部２１Ｂを図５で示した矢印Ｂ方向又は矢印Ｃ方向に回転させる。この状態で、軸２３Ｃ及び軸２３Ｄの中心軸の方向が椅子２の前後方向に沿った方向となる。また、スピーカ１００Ａとスピーカ１００Ｂとがユーザーの頭部を挟んで互いに向かい合うように、スピーカ１００Ａを図５で示した矢印Ｆ方向へ回転させ、スピーカ１００Ｂを図５で示した矢印Ｇ方向へ回転させる。図７に示した状態では、着席したユーザーの左右の耳の近傍にスピーカ１００Ａ及びスピーカ１００Ｂが位置する。そして、電子楽器から出力されて外部装置で増幅された信号がスピーカ１００Ａ、１００Ｂへ供給されると、電子楽器の音が椅子２に着席しているユーザーの頭部（耳）へ向けて水平方向に放音される。
【００３０】
次に、ユーザーが椅子２の背後に立って電子楽器を演奏する場合には、図７に示した状態から回転部２０Ｃ、２０Ｄを上方（図５に示した矢印Ｄ方向）に上げ、回転部２０Ｃ、２０Ｄの高さが、立っているユーザーの耳の高さと同じ高さとなるようにする。
次に、スピーカ１００Ａを軸２３Ｃを中心にして矢印Ｆ方向へ１８０度の角度で回転させ、スピーカ１００Ｂを軸２３Ｄを中心にして矢印Ｇ方向へ１８０度の角度で回転させることにより、スピーカ１００Ａとスピーカ１００Ｂとが互いに反対方向に向くようにする。この後、縦軸回転部２１Ａ、２１Ｂを図５に示した矢印Ｂ方向又は矢印Ｃ方向に回転移動させることにより、図８に示したように、スピーカ１００Ａとスピーカ１００Ｂとが互いに向かい合うようにする。
図８に示した状態においては、軸２３Ｃ及び軸２３Ｄの中心軸の方向が椅子２の前後方向に沿った方向となり、ユーザーの左右の耳の近傍にスピーカ１００Ａ、１００Ｂが位置する。そして、電子楽器から出力されて外部装置で増幅された信号がスピーカ１００Ａ、１００Ｂへ供給されると、電子楽器の音が椅子２の背後に立っているユーザーの頭部（耳）へ向けて水平方向に放音される。
このように、本実施形態においても、椅子２に座った状態と椅子２から立った状態の両方でユーザーに向けて電子楽器の音を放音することができる。
【００３１】
なお、軸２３Ｃは、図６（ｃ）に示すように、スピーカ１００Ａの上下方向の中心から偏った上側に固定されており、軸２３Ｄは、図６（ｄ）に示すように、スピーカ１００Ｂの上下方向の中心から偏った上側に固定されている。これにより、軸２３Ｃを中心にしてスピーカ１００Ａを矢印Ｆ方向へ１８０度の角度で回転させ、軸２３Ｄを中心にしてスピーカ１００Ｂを矢印Ｇ方向へ１８０度の角度で回転させると、スピーカ１００Ａ及びスピーカ１００Ｂの上下方向の位置が変わる。このため、回転部２０Ａ、２０Ｂは、上下方向に移動しない構成としてもよい。
【００３２】
また、本実施形態においては、横軸回転部２２Ｃにおいて軸２３Ｃが挿入される孔は、横軸回転部２２Ｃにおいて上下方向の中央から偏った上側に位置している。しかし、軸２３Ｃが挿入される孔を横軸回転部２２Ｃの上下方向の中央に設け、軸２３Ｃが、横軸回転部２２Ｃにおいて上下方向の中央に位置するようにしてもよく、また、横軸回転部２２Ｄについても、同様に軸２３Ｄが、横軸回転部２２Ｄにおいて上下方向の中央に位置するようにしてもよい。
【００３３】
［第３実施形態］
次に、本発明の第３実施形態について説明する。図９は、本発明の第３実施形態に係るスピーカスタンド１Ｃを示した図であり、椅子２に座っている者に対して音を水平方向に放音するときの状態を示している。本実施形態においては、スピーカスタンド１Ｃは、水平方向に放音されるようにスピーカを支持するが、水平方向から任意の角度で垂直方向へ傾けた方向へスピーカの音が放音されるようにスピーカを支持するようにしてもよい。
なお、第３実施形態に係る図において示した各部材の寸法も、各部材の形状や位置関係を容易に理解できるように実際の寸法とは異ならせてある。スピーカスタンド１Ｃは、第１実施形態のスピーカスタンド１Ａと比較すると、回転部２０Ａ、２０Ｂに替えて回転部２０Ｅ、２０Ｆを有する点が異なる。以下、第１実施形態と構成が同じものについては同じ符号を付してその説明を省略し、第１実施形態との相違点について説明する。
【００３４】
図１０の（ａ）は、図９の状態のスピーカスタンド１Ｃにおいて、回転部２０Ｅを、回転部２０Ｆ側から回転部２０Ｅ側に向かって見た図であり、図１０の（ｂ）は、回転部２０Ｆを、回転部２０Ｅ側から回転部２０Ｆ側に向かって見た図である。
【００３５】
回転部２０Ｅは、軸２３Ｅ（横軸部）を有し、回転部２０Ｆは、軸２３Ｆ（横軸部）を有する。回転部２０Ｅは、垂直方向に貫通し、支持柱１０Ａが挿入される孔と、ボルト２４が挿入されるねじ孔であって、水平方向に沿って設けられ、支持柱１０Ａが挿入される孔に通じるねじ孔を有している。軸２３Ｅは、回転部２０Ｅからスピーカ１００Ａの放音方向に沿って水平方向に伸びている。つまり、軸２３Ｅは、中心軸の方向がスピーカ１００Ａの放音方向に沿った方向となっている。また、回転部２０Ｆは、垂直方向に貫通し、支持柱１０Ｂが挿入される孔と、ボルト２４が挿入されるねじ孔であって、水平方向に沿って設けられ、支持柱１０Ｂが挿入される孔に通じるねじ孔を有している。軸２３Ｆは、回転部２０Ｆからスピーカ１００Ｂの放音方向に沿って水平方向に伸びている。つまり、軸２３Ｆは、中心軸の方向がスピーカ１００Ｂの放音方向に沿った方向となっている。
当該ねじ孔に挿入されたボルト２４が締められていない状態においては、回転部２０Ｅは、支持柱１０Ａに沿った上下方向への移動が可能となり、回転部２０Ｆは、支持柱１０Ｂに沿った上下方向への移動が可能となる。換言すると、支持柱１０Ａ、１０Ｂ及び回転部２０Ｅ、２０Ｆは、スピーカ１００Ａ、１００Ｂを上下方向へ移動させる移動部として機能している。当該ねじ孔に挿入されたボルト２４を締めると、ボルト２４が止めねじとして機能し、支持柱１０Ａに回転部２０Ｅが固定され、支持柱１０Ｂに回転部２０Ｆが固定される。
【００３６】
また、回転部２０Ｅは、水平方向に沿って設けられ、軸２３Ｅが挿入される孔を有している。当該孔に設けられた爪（図示略）及び軸２３Ｅに設けられた歯（図示略）によりラチェット機構が形成されている。軸２３Ｅには、矩形のスピーカ１００Ａの角付近が固定される。軸２３Ｅに取り付けられたスピーカ１００Ａは、軸２３Ｅを中心にして図中の矢印Ｈ方向に横軸周りに回転する。つまり、回転部２０Ｅは、スピーカ１００Ａを横軸周りに回転させる第２回転部として機能している。なお、軸２３Ｅは、スピーカ１００Ａの側方においてスピーカ１００Ａの上下方向の中央から偏った位置に固定されるため、スピーカ１００Ａは、回転の中心が角付近となり、スピーカ１００Ａの中心から偏った位置であるため、スピーカ１００Ａを矢印Ｈ方向に回転させることにより、スピーカ１００Ａの上下方向の位置を変えることができる。
また、回転部２０Ｆは、水平方向に沿って設けられ、軸２３Ｆが挿入される孔を有している。当該孔に設けられた爪（図示略）及び軸２３Ｆに設けられた歯（図示略）によりラチェット機構が形成されている。軸２３Ｆには、矩形のスピーカ１００Ｂの角付近が固定される。軸２３Ｆ取り付けられたスピーカ１００Ｂは、軸２３Ｅを中心にして図中の矢印Ｈ方向に横軸周りに回転する。つまり、回転部２０Ｆは、スピーカ１００Ｂを横軸周りに回転させる第２回転部として機能している。なお、軸２３Ｆは、スピーカ１００Ｂの側方においてスピーカ１００Ｂの上下方向の中央から偏った位置に固定されるため、スピーカ１００Ｂは、回転の中心が角付近となり、スピーカ１００Ｂの中心から偏った位置であるため、スピーカ１００Ｂを矢印Ｈ方向に回転させることにより、スピーカ１００Ｂの上下方向の位置を変えることができる。
【００３７】
ユーザーは、椅子２に着席して電子楽器を演奏する場合には、図９に示したように、回転部２０Ｅ、２０Ｆの高さが、着席しているユーザーの耳の高さと同じ高さとなるように、回転部２０Ｅ、２０Ｆを上下方向（矢印Ｄ方向又は矢印Ｅ方向）に移動させる。また、背もたれより前側において、スピーカ１００Ａとスピーカ１００Ｂとがユーザーの頭部を挟んで互いに向かい合うように、スピーカ１００Ａ、１００Ｂを矢印Ｈ方向へ回転させる。図９に示した状態では、軸２３Ｅ及び軸２３Ｆの中心軸の方向が椅子２の左右方向に沿った方向となり、着席したユーザーの左右の耳の近傍にスピーカ１００Ａ及びスピーカ１００Ｂが位置する。そして、電子楽器から出力されて外部装置で増幅された信号がスピーカ１００Ａ、１００Ｂへ供給されると、電子楽器の音が椅子２に着席しているユーザーの頭部（耳）へ向けて水平方向に放音される。
【００３８】
次に、図１０の（ｃ）は、図９の状態からスピーカ１００Ａを矢印Ｈ方向へ１８０度回転させ、回転部２０Ｅを、回転部２０Ｆ側から回転部２０Ｅ側に向かって見た図であり、図１０の（ｄ）は、図９の状態からスピーカ１００Ｂを矢印Ｈ方向へ１８０度回転させ、回転部２０Ｆを、回転部２０Ｅ側から回転部２０Ｆ側に向かって見た図である。
ユーザーが椅子２の背後に立って電子楽器を演奏する場合には、図１０の（ｃ）及び図１０の（ｄ）に示したように、図９の状態から軸２３Ｅを中心にしてスピーカ１００Ａを回転移動させ、軸２３Ｆを中心にしてスピーカ１００Ｂを回転移動させ、スピーカ１００Ａ、１００Ｂを上方に上げると共に背もたれの後側に移動させる。また、立ち上がったユーザーの左右の耳の近傍にスピーカ１００Ａ及びスピーカ１００Ｂが位置するように、スピーカ１００Ａ、１００Ｂを矢印Ｄ方向へ移動させる。そして、電子楽器から出力されて外部装置で増幅された信号がスピーカ１００Ａ、１００Ｂへ供給されると、電子楽器の音が椅子２の背後に立っているユーザーの頭部（耳）へ向けて放音される。
このように、本実施形態においても、椅子２に座った状態と椅子２から立った状態の両方でユーザーに向けて電子楽器の音を放音することができる。
【００３９】
なお、スピーカ１００Ａを軸２３Ｅを中心にして矢印Ｈ方向へ１８０度の角度で回転させ、スピーカ１００Ｂを軸２３Ｆを中心にして矢印Ｈ方向へ１８０度の角度で回転させると、スピーカ１００Ａ及びスピーカ１００Ｂの上下方向の位置が変わる。このため、回転部２０Ｅ、２０Ｆは、上下方向に移動しない構成としてもよい。
また、上述した構成においては、回転部２０Ｅ及び回転部２０Ｆは、矢印Ｂ方向及び矢印Ｃに回転しない構成となっているが、矢印Ｂ方向及び矢印Ｃに回転する構成としてもよい。
【００４０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４１】
上述した各実施形態においては、支持柱１０Ａ、１０Ｂを伸縮可能なパイプとし、パイプを伸縮させてパイプの長さを調整することにより、スピーカ１００Ａ、１００Ｂの上下方向の位置を調整するようにしてもよい。
【００４２】
上述した実施形態においては、把持部３０Ａ、３０Ｂは、椅子２の背もたれを上から挟む構成となっているが、この構成に限定されるものではない。例えば、図１に示した状態から把持部３０Ａ、３０Ｂを９０度回転させた構成とし、椅子２の背もたれを横から挟む構成にして支持柱１０Ａ、１０Ｂに固定する構成としてもよい。
【００４３】
スピーカ１００Ａ、１００Ｂの位置を変える構成は、上述した各実施形態に限定されるものではなく、他の構成であってもよい。
図１１は、本変形例に係る回転部２０Ｇ、２０Ｈを示した図である。回転部２０Ｇは、垂直方向に貫通し、支持柱１０Ａが挿入される孔と、ボルト２４が挿入されるねじ孔であって、水平方向に沿って設けられ、支持柱１０Ａが挿入される孔に通じるねじ孔（図示略）と、水平方向に貫通した孔２６Ａを有している。孔２６Ａは、軸２３Ｇ（横軸）が挿入される孔である。
回転部２０Ｈは、垂直方向に貫通し、支持柱１０Ｂが挿入される孔と、ボルト２４が挿入されるねじ孔であって、水平方向に沿って設けられ、支持柱１０Ｂが挿入される孔に通じるねじ孔（図示略）と、水平方向に貫通した孔２６Ｂを有している。孔２６Ｂは、軸２３Ｈ（横軸）が挿入される孔である。
軸２３Ｇをスピーカ１００Ａに固定し、回転部２１Ｇの左側又は右側から挿入すれば、椅子２の背もたれより前側又は後側にスピーカ１００Ａを配置することができる。また、軸２３Ｈをスピーカ１００Ｂに固定し、回転部２１Ｈの左側又は右側から挿入すれば、椅子２の背もたれより前側又は後側にスピーカ１００Ｂを配置することができる。
また、支持柱１０Ａ、１０Ｂを中心にしてスピーカ１００Ａ、１００Ｂを縦軸回転させた後、軸２３Ｇ、２３Ｈを中心にしてスピーカ１００Ａ、１００Ｂを横軸回転させることにより、スピーカ１００Ａ、１００Ｂからの音をユーザーの頭部へ放音するようにしてもよい。
【００４４】
上述した実施形態においては、スピーカ１００Ａ、１００Ｂを回転させる際に、ラチェット機構によりスピーカ１００Ａ、１００Ｂを段階的に固定させる構成としているが、回転が止まる位置が固定される構成に限定されるものではなく、任意の位置で固定可能な構成としてもよい。また、スピーカ１００Ａ、１００Ｂを回転させる方向は一方向に限定されるものではなく、上述した回転方向とは反対方向にも回転可能な構成としてもよい。
【００４５】
上述した各実施形態においては、スピーカスタンドは、把持部３０Ａ、３０Ｂにより椅子２に固定されるが、この構成に限定されるものではなく、例えば、固定金具、ボルト及びナットなどを用いて支持柱１０Ａ、１０Ｂを椅子２に固定するようにしてもよい。
【符号の説明】
【００４６】
１Ａ…スピーカスタンド、２…椅子、１０Ａ、１０Ｂ…支持柱、２０Ａ〜２０Ｈ…回転部、３０Ａ、３０Ｂ…把持部、２１Ａ、２１Ｂ…縦軸回転部、２２Ａ〜２２Ｄ…横軸回転部、２３Ａ〜２３Ｈ…軸、１００Ａ、１００Ｂ…スピーカ
【図１】
2016134794.tif 000003
【図２】
2016134794.tif 000004
【図３】
2016134794.tif 000005
【図４】
2016134794.tif 000006
【図５】
2016134794.tif 000007
【図６】
2016134794.tif 000008
【図７】
2016134794.tif 000009
【図８】
2016134794.tif 000010
【図９】
2016134794.tif 000011
【図１０】
2016134794.tif 000012
【図１１】
2016134794.tif 000013